(57)【要約】      （修正有）【課題】接触面積が小さいことが原因で脱落する状況を有効に防止し、該反射部品の設置良品率を向上させる反射ユニット及びその光源モジュールを提供する。【解決手段】反射ユニット１６は、導光部品１４と合わせて使用し、該導光部品は入光部１４４及び出光部１４８を含む。該出光部は該入光部方向に向けて凹んだ凹槽を備え、該反射ユニットは固定部品１６２及び反射部品１６４を含み、該固定部品は該出光部最上端の周辺縁に設置し、該反射部品は該固定部品に設置して該第一凹槽１４８２を密封し錐状の光伝送空間１９を形成する。【選択図】図２
0003172647.tif 000002
【実用新案登録請求の範囲】
【請求項１】
導光部品と合わせて使用され、該導光部品は入光部及び一出光部を含み、該出光部は該入光部方向に向けて凹んだ第一凹槽を備える反射ユニットにおいて、
該出光部最上端の周辺縁に設置する固定部品と、
該固定部品に設置して該第一凹槽を密封し錐状の光伝送空間を形成する反射部品を含むことを特徴とする反射ユニット。
【請求項２】
前記固定部品は、少なくとも四凸柱を含み、該複数の凸柱は等間距で該出光部最上端の周辺縁に設置されることを特徴とする請求項１記載の反射ユニット。
【請求項３】
前記固定部品は環型凸部であることを特徴とする請求項１記載の反射ユニット。
【請求項４】
前記反射ユニットは、更にテープ材を含み、該固定部品と該反射部品の間に設置されることを特徴とする請求項１記載の反射ユニット。
【請求項５】
前記テープ材は、両面テープであることを特徴とする請求項４記載の反射ユニット。
【請求項６】
前記複数の固定部品と該導光部品は一体成型されることを特徴とする請求項１記載の反射ユニット。
【請求項７】
前記反射部品は、反射片、フィルター片もしくは樹脂材を備えたグルーを塗布したプラスチックもしくはガラス片であることを特徴とする請求項１記載の反射ユニット。
【請求項８】
導光部品と反射ユニットを含む光源モジュールにおいて、
導光部と、
導光部の一側に連接する入光部と、
導光部の別一側に連接し、平面及び第一凹槽を備え、該第一凹槽は該平面中央箇所から該導光部の方向へ向けて凹む出光部を含む導光部品と、
該出光部最上端の周辺縁に設置する固定部品と、
該固定部品に設置して該第一凹槽を密封して錐状の光伝送空間を形成する反射部品を含んだ反射ユニットを含むことを特徴とする光源モジュール。
【請求項９】
前記固定部品は少なくとも四凸柱を含み、該複数の凸柱は等間距で該出光部に設置されることを特徴とする請求項８記載の光源モジュール。
【請求項１０】
前記固定部品は環型凸部であることを特徴とする請求項８記載の光源モジュール。
【請求項１１】
前記反射ユニットは、更にテープ材を含み、該平面及び該反射部品の間に設置されることを特徴とする請求項８記載の光源モジュール。
【請求項１２】
前記テープ材は、両面テープであることを特徴とする請求項１１記載の光源モジュール。
【請求項１３】
前記該複数の固定部品と該導光部品は、一体成型されることを特徴とする請求項８記載の光源モジュール。
【請求項１４】
前記入光部の直径は、該導光部を遠ざかるほど徐々に小さくなることを特徴とする請求項８記載の光源モジュール。
【請求項１５】
前記光源モジュールは、更に縮小部を含み、該導光部及び該出光部の間を連接し、該縮小部の直径は該導光部を遠ざかるほど徐々に小さくなることを特徴とする請求項８記載の光源モジュール。
【請求項１６】
前記出光部の直径は該縮小部から遠ざかるほど徐々に小さくなることを特徴とする請求項１５記載の光源モジュール。
【請求項１７】
前記光源モジュールは、更に底部を含み、該入光部の該導光部に連接する反対側に連接し、該底部は複数個の支持部品を備えることを特徴とする請求項８記載の光源モジュール。
【請求項１８】
前記光源モジュールは、納置槽を含み、該納置槽は該底部から該出光部方向に向けて凹むことを特徴とする請求項１７記載の光源モジュール。
【請求項１９】
前記出光部は、更に第二凹槽を含み、該第一凹槽の中央箇所に設置され、該第二凹槽の開口角は該第一凹槽の開口角より小さいことを特徴とする請求項８記載の光源モジュール。
【請求項２０】
前記反射部品は、反射片、フィルター片もしくは樹脂材を備えたグルーを塗布したプラスチックもしくはガラス片であることを特徴とする請求項８記載の光源モジュール。
【考案の詳細な説明】
【技術分野】
【０００１】
本考案は、光源モジュールに関するもので、特に一種発光ダイオードの光源モジュールに係わる
【背景技術】
【０００２】
発光ダイオード(light emitting diode, LED)は、一種の半導体部品であり、主に半導体化合物によって電気エネルギーを光エネルギーに転換して発光効果を達成する。それにより、寿命が長く安定性が向上し、電気消費量が小さくなる長所を備え、現在では住居、オフィス、室外及び携帯照明に広く応用され、蛍光灯及び白熱電球等従来の非指向性発光源から移行している。
【０００３】
発光ダイオードは点状光源で且つ高指向性を備えるため、発光ダイオードの照射面は公知の光源と比較して狭くなる。そのため、短距離及び小エリアの照明、例として卓上ライトに適用される。
【０００４】
発光ダイオードをその他の照明具、例として白熱電球もしくはキャンドルライトに応用するため、多くのメーカーでは複数個の発光ダイオードを組み立てたり配列したりして発光を集中させ照射強度が小さくなりすぎる問題を補強している。
【考案の概要】
【考案が解決しようとする課題】
【０００５】
解決しようとする問題点は、発光ダイオードの使用数が増えれば発光ダイオードを駆動するのに必要な電力が増え、省電効果を達成することができない上、更に発光ダイオードライト本体の価格は公知の発光源よりもずっと高価であるため、使用者の発光ダイオード照明具を使用したい意欲は下がってしまう点である。
【課題を解決するための手段】
【０００６】
本考案は、導光部品と合わせて使用し、該導光部品は入光部及び出光部を含む。該出光部は該入光部方向に向けて凹んだ凹槽を備え、該反射ユニットは固定部品及び反射部品を含み、該固定部品は該出光部最上端の周辺縁に設置し、該反射部品は該固定部品に設置して該第一凹槽を密封し錐状の光伝送空間を形成することを最も主要な特徴とする。
【考案の効果】
【０００７】
本考案の反射ユニット及びその光源モジュールは、接触面積が小さいことが原因で脱落する状況を有効に防止し、該反射部品の設置良品率を向上させるという利点がある。
【図面の簡単な説明】
【０００８】
【図１】本考案の第一実施例の光源モジュールの立体図である。
【図２】本考案の第一実施例の光源モジュールの断面図である。
【図３】本考案の第一実施例の光源モジュールの別の一立体図である。
【図４】光線が該導光部品を通過する光強度の分布図である。
【図５】光線が該光源モジュールを通過する光強度の分布図である。
【図６】本考案の第二実施例の光源モジュールの立体図である。
【図７】本考案の第三実施例の光源モジュールの断面図である。
【図８】本考案の第四実施例の光源モジュールの立体図である。
【考案を実施するための形態】
【０００９】
公知の技術の欠点を鑑み、該反射ユニットは導光部品と合わせて使用し、該反射ユニットは発光部品から発射して該導光部品を通過した光線を反射することで光線の光強度分布を変えるのに用いる反射ユニットを提供することを本考案の一目的とする。
【００１０】
通通した光線の出射角度を有効に拡大する光源モジュールを提供することを本考案の別の目的とする。
【００１１】
上述の目的を達成するため、本考案は反射ユニットを提供する。該反射ユニットは導光部品と合わせて使用し、該導光部品は入光部及び出光部を含む。該出光部は該入光部方向へ凹んだ凹槽を備える。該反射ユニットは固定部品及び反射部品を含み、該固定部品は該出光部最上端の周辺縁に設置し、該反射部品は該固定部品に設置して該第一凹槽を密封して錐状の光伝送空間を形成する。
【００１２】
本考案は、更に光源モジュールを提供する。該光源モジュールは導光部品、少なくとも一発光部品及び一反射ユニットを含む。該導光部品は導光部、入光部及び出光部を含む。該入光部は該導光部の一側に連接し、該出光部は該導光部の別一側に連接し、該出光部は平面及び第一凹槽を備え、該第一凹槽は該平面中央箇所から該導光部の方向へ向かって凹む。該発光部品は該入光部に設置する。該反射ユニットは固定部品及び反射部品を含み、該固定部品は該出光部最上端の周辺縁に設置し、該反射部品は該固定部品に設置して該第一凹槽を密封し錐状の光伝送空間を形成する。
【００１３】
本考案は導光部品の出光部最上端周辺縁に該固定部品を設置し、該反射部品は該固定部品に設置する。このようにして該反射部品と該導光部品接触面積が小さいことが原因で脱落する状況を有効に防止する。
【実施例１】
【００１４】
図１及び図２は、それぞれ本考案の第一実施例の光源モジュールの立体図及び断面図である。該光源モジュール１０は、少なくとも一発光部品１２、一導光部品１４及び一反射ユニット１６を含む。該発光部品１２は光軸Ｉを備え、該発光部品１２は光源モジュール１０の発光源として，該光源モジュール１０を点灯する時に必要な光源を提供するのに用いる。該発光部品１２の数量は一個もしくは多数個であるが本実施例では一個を例とする。更に、該発光部品１２は発光ダイオードもしくは多結晶パッケージング発光ダイオードであり、更に良いのは該発光部品１２が高パワー発光ダイオード、もしくは高パワー多結晶パッケージング発光ダイオードである。
【００１５】
該導光部品１４は、該発光部品１２上に設置し、該導光部品１４は軸に対して対称で且つ該導光部品１４の中心軸線と該光軸Ｉが重合する。該導光部品１４は導光部１４２、入光部１４４、縮小部１４６及び出光部１４８を備える。該導光部品１４はポリメタクリル酸メチル(PMMA)、アクリル(acryl)、ポリカーボネート(PC)、テレフタル酸ポリエチレン(PET)、ポリオレフィン(Polyolefin)、合成樹脂もしくはガラス等透光材を使用し、射出成型、エッチング、ホットプレス成型もしくは裁断加工等方式で柱体を成形する。更に該透光材は透明状もしくは非透明状でもよく、該発光部品１２から発する少なくとも一部の光線もしくは全部の光線を通過させる。この他、該透光材は単一色もしくは多種色を添加して該導光部品１４の光線を必要な光色に転換しても良い。
【００１６】
該導光部１４２は、ほぼ円柱体で、実際の実施時はこれに制限されない。該入光部１４４は該導光部１４２の一側に連接し、該発光部品１２は該入光部１４４に設置し、該入光部１４４に向けて光線を発射する。該入光部１４４の直径は、該導光部１４２から遠ざかるごとに小さくなり、このようにすることで光線が該入光部１４４に入射する内部全反射(total internal reflection, TＩR)の確率が増加し、更に光線を該導光部１４２へ伝送する確率を高める。
【００１７】
該縮小部１４６は、導光部１４２の該入光部１４４に連接するのと反対側に連接し、更に該縮小部１４６の直径は該導光部１４２から遠ざかるほどに徐々に小さくなる。
【００１８】
該出光部１４８は該導光部１４２の該入光部１４４連接側と反対側に連接し、更に該出光部１４８の直径は該縮小部１４６から遠ざかるほどに大きくなる。該出光部１４８の末端は平面１４８１及び第一凹槽１４８２を備え、該第一凹槽１４８２は該平面１４８１中央箇所から該入光部１４４の方向へ向かって漏斗状に凹み、該第一凹槽１４８２と該出光部１４８は相互に第一出光面１４８４を形成する。該第一凹槽１４８２の中央箇所は更に該入光部１４４方向に向けて錐状に凹んだ第二凹槽１４８６を含み、該第二凹槽１４８６と該出光部１４８は相互に第二出光面１４８８を形成する。そのうち該第二凹槽１４８６の開口角θ２は該第一凹槽１４８２の開口角θ１より小さい。
【００１９】
該導光部品１４は更に底部１５０を含み、該底部１５０は該入光部１４４の該導光部１４２を連接する側と相反する一側に連接し、該底部１５０の中央箇所は該出光部１４８方向に向けて凹んだ納置槽１５０２を備え、該入光部１４４と該納置槽１５０２は相互に入光面を形成し、該入光面は、該底部の１５０の方向に向けて突出し、即ち該出光部１４８から遠ざかる方向へ突出する。このようにして該入光面から入射した光線が集まる。該発光部品１２は該納置槽１５０２に設置し、該入光面へ向けて光線を発する。該底部１５０は更に複数個の支持部品１５０４を含み、図３に示すとおり、該複数の支持部品１５０４はほぼ等間隔で該底部１５０に設置し、それは該導光部品１４を支持するのに用い、該導光部品１４を該発光部品１２の正上方に置くことで発光部品１２が傷つくのを防止する。
【００２０】
該発光部品１２から出射した光線は、該入光部１４４の該入光面から該導光部品１４へ入射し、該入光部１４４は大部分の入射光を全反射式で該導光部１４２へ伝送し、該導光部１４２は該光線を該縮小部１４６へ導き、該縮小部１４６は一部の光線を反射して該第一出光面１４８４及び該第二出光面１４８８へ伝送し、該第一出光面もしくは該第二出光面から出光する。そのうち光線が該導光部品を通過する光強度分布図は図４に示すとおりで、図中の太線は縦方向光強度分布を表示するのに用い、細線は横方向光強度分布を表示するのに用いる。
【００２１】
図１及び図２に示すとおり、該反射ユニット１６は固定部品１６２及び反射部品１６４を含む。該固定部品１６２は該出光部１４８最上端の周辺縁に設置する。本実施例において該固定部品１６２は環型凸部を含む。該固定部品１６２はポリメタクリル酸メチル(PMMA)、アクリル(acryl)、ポリカーボネート(PC)、テレフタル酸ポリエチレン(PET)、ポリオレフィン(Polyolefin)、合成樹脂もしくはガラス等透光材で製造し、更に該複数の固定部品１６２と該導光部品１４は一体成型もしくは少なくとも一接着剤(図未提示)で該出光部１４８最上端の周辺縁に接着する。本実施例では該複数の固定部品１６２と該導光部品１４は一体成型する。
【００２２】
該反射部品１６４は該固定部品１６２に設置して該第一凹槽１４８２及び該第二凹槽１４８６を密封し、該光源モジュール１０を該導光部品１４及び該反射部品１６４の間で錐状に形成し、空気を光伝送媒介質とする光伝送空間１９を備える。該第一出光面１４８４もしくは該第二出光面１４８８で出射した光線は、該光伝送空間１９を経て該反射部品１６４へ伝送され、該反射部品１６４は該光線を反射して該光線を該第一出光面１４８４もしくは該第二出光面１４８８を通して該導光部品１４へ入射し、次に出光部１４８の周囲面を経て出光する。そのうち、該第一出光面１４８４もしくは該第二出光面１４８８で出射した光線、及び該第一出光面１４８４もしくは該第二出光面１４８８で入射した光線間の夾角はおよそ鋭角である。このようにして該光線屈折出光角度を有効に広げることができ、更に該光源モジュール１０の出光角度を高める。光線が該光源モジュール１０を通過する光強度分布図は図５に示すとおりである。
【００２３】
該反射部品１６４は例として金属片、フィルター片もしくは樹脂材を備えたグルーを塗布したプラスチックもしくはガラス片である。そのうち該フィルター片は反射式フィルター片であり、該グルーは白色もしくは銀色等の良好な反射効果を備えた色で、実施に際しては必要に応じるか、もしくは反射部品１６の色を調整して制限する。
【００２４】
また該反射部品１６４と該固定部品１６２の間は、更にテープ材１８を含み、該反射部品１６４を該複数の固定部品１６２に接着するのに用い、該テープ材１８は両面テープが良い。
【実施例２】
【００２５】
図６に示すのは、本考案第二実施例の光源モジュールの立体図である。本実施例の光源モジュール１０aは、ほぼ上述の第一実施例と同じである。異なる箇所は固定部品１６２aが少なくとも四凸柱１６３aを含み、該複数の凸柱１６３aは等間隔で該出光部１４８最上端の周辺縁に設置される。該複数の凸柱１６３aは接着剤(図未提示)によって該出光部１４８最上端の周辺縁に接着するか、もしくは該複数の凸柱１６３aと該導光部品１４を一体成型にする。本実施例では該複数の凸柱１６３aと該導光部品１４は一体成型を例としている。該反射部品１６４はテープ材(図未提示)で該複数の凸柱１６３aに設置して該第一凹槽１４８２及び該第二凹槽１４８６を密封し、該光源モジュール１０aを該導光部品１４及び該反射部品１６４間で錐状に成形し、空気を光伝送媒介質とした光伝送空間１９を備える。このようにして該光源モジュール２０aの出光角度を有効に拡大し、更に該複数の凸柱１６３aによって該反射部品１６４と該導光部品１４接触面積が小さいことが原因で脱落する状況を有効に防止し、該反射部品１６４の設置良品率を向上させる。
【実施例３】
【００２６】
図７に示すのは、本考案第三実施例の光源モジュールの断面図である。該光源モジュール２０は、少なくとも一発光部品２２、一導光部品２４及び一反射ユニット２６を含む。該発光部品２２は光軸Ｉを備え、該発光部品２２は主に該光源モジュール２０が点灯する時に必要な光源を提供するのに用いる。該発光部品２２の数量は一個もしくは多数個で、本実施例では該発光部品２２は一個を例とする。該発光部品２２は発光ダイオードもしくは多結晶パッケージング発光ダイオードで、該発光部品２２は高パワー発光ダイオードもしくは高パワー多結晶パッケージング発光ダイオードが良好である。
【００２７】
該導光部品２４は、該発光部品２２上に設置し、本実施例に於いて該導光部品２４はほぼ円柱体であるが、実際に実施する時にはこれに制限されない。該導光部品２４は、ポリメタクリル酸メチル、アクリル、ポリカーボネート、テレフタル酸ポリエチレン、ポリオレフィン、合成樹脂もしくはガラス等透光材を使用し、射出成型、エッチング、ホットプレス成型もしくは裁断加工等方式で製作した柱体で、更に該透光材は透明状もしくは非透明状でもよく、該発光部品２２が発した少なくとも一部の光線もしくは全部の光線を通過させる。その他、該透光材は単一色もしくは多種色を添加し該導光部品２４を通過する光線を必要な光色に変える。
【００２８】
該導光部品２４は導光部２４２、入光部２４４、出光部２４８及び底部２５０を含み、該入光部２４４及び該出光部２４８はそれぞれ該導光部２４２の両側に隣接する。
【００２９】
該出光部２４８の末端は平面２４８１及び第一凹槽２４８２を備え、該第一凹槽２４８２は該平面２４８１から該入光部２４４方向へ向けて凹み、第一出光面２４８４を形成する。本実施例に於いて、該第一凹槽２４８２は錐状が良い。
【００３０】
該底部２５０は該入光部２４４の該導光部２４２に連接する側と反対側に連接し、該底部２５０は納置槽２５０２を備え、該納置槽２５０２は該底部２５０から該出光部２４８方向へ向けて凹み、該発光部品２２は該納置槽２５０２に設置する。該底部２５０は更に複数個の支持部品２５０４を含み、該複数の支持部品２５０４はほぼ等間隔で該底部２５０に設置し、該導光部品２４を支持するのに用い、該導光部品２４を該発光部品２２正上方に設置して発光部品２２が押されて傷つくのを防止する。
【００３１】
該反射ユニット２６は、固定部品２６２及び反射部品２６４を含み、該固定部品２６２は、該出光部２４８最上端の周辺縁に設置する。本実施例では該固定部品２６２は環型凸部とする。該固定部品２６２はポリメタクリル酸メチル、アクリル、ポリカーボネート、テレフタル酸ポリエチレン、ポリオレフィン、合成樹脂もしくはガラス等透光材で製作し、且つ該固定部品２６２と該導光部品２４は一体成型するか、もしくは少なくとも一接着剤(図未提示)で該出光部２４８最上端の周辺縁に接着する。本実施例では該固定部品２６２と該導光部品２４は一体成型する。
【００３２】
該反射部品２６４は該固定部品２６２に設置し、該第一凹槽２４８２を密封し、該光源モジュール２０を該導光部品２４及び該反射部品２６４の間で錐状に形成し、空気を光伝送媒介質とした光伝送空間２９を備える。該反射部品２６４は例として金属片、フィルター片もしくは樹脂材を備えたグルーを塗布したプラスチックもしくはガラス片であり、該フィルター片は反射式フィルター片が好ましく、該グルーは白色もしくは銀色等良好な反射効果を備えた色が好ましい。実際に実施する時、実際の必要もしくは反射部品２６４の色を調整して制限する。その他、該反射部品２６４更にテープ材(図未提示)で該固定部品２６２に接着する。このようにして反射部品２６と該導光部品２４の間の接触面積を有効に増やし、該反射部品２６が該導光部品２４との接触面積が小さいために脱落する状況を防止する。
【実施例４】
【００３３】
図８は本考案第四実施例の光源モジュールの立体図である。本実施例の光源モジュール２０aはほぼ上述の第三実施例同じであるが、異なる箇所は、導光部品２４aの出光部２４８a及び反射ユニット２６aの固定部品２６４aである。該出光部２４８aの第一凹槽２４８２aの中央箇所は更に該入光部２４４方向に向けて錐状の凹んだ第二凹槽２４８６aを含み、そのうち該第二凹槽２４８６aの開口角は該第一凹槽２４８２aの開口角より小さい。
【００３４】
該固定部品２６２aは、少なくとも四凸柱２６３aを含み、該複数の凸柱２６３aは等間隔で該出光部２４８a最上端の周辺縁に設置する。該複数の凸柱２６３aは接着剤(図未提示)で該出光部２４８最上端の周辺縁に接着するか、もしくは該複数の凸柱２６３aと該導光部品２４aを一体成型にする。本実施例では該複数の凸柱２６３aと該導光部品２４aは一体成型する。該反射部品２６４はテープ材(図未提示)で該複数の凸柱２６３aに設置し、該第一凹槽２４８２a及び該第二凹槽２４８６aを封鎖し、該光源モジュール２０aに該導光部品２４a及び該反射部品２６４の間で空気を光伝送媒介質とした光伝送空間を備えるこのようにして該反射部品２６４と該導光部品２４a接触面積が小さいことが原因で脱落する状況を有効に防止し、該反射部品２６４の設置良品率を高める。
【００３５】
上述のとおり、本考案は導光部品の出光部最上端周辺縁に該固定部品を設置し、該反射部品は該固定部品に設置する。このようにして該反射部品と該導光部品接触面積が小さいことが原因で脱落する状況を有効に防止する。更に該反射部品は該導光部品との間に形成した該光伝送空間が該出光部周辺縁から出射した光線の角度を有効に広げ、市場でよく見かける電球もしくはキャンドルライト等照明器具内設置して適用される。
【００３６】
上述は、本考案の良好な実施例にすぎず、本考案実施の請求範囲を制限するものではない。即ち、本考案の請求範囲に基づく全ての変化と修飾等は、本考案の請求範囲に含まれるものとする。
【符号の説明】
【００３７】
１０        光源モジュール
１０ａ      光源モジュール
１２        発光部品
１４        導光部品
１４２        導光部
１４４        入光部
１４６        縮小部
１４８        出光部
１４８１        平面
１４８２        第一凹槽
１４８４        第一出光面
１４８６        第二凹槽
１４８８        第二出光面
１５０        底部
１５０２        納置槽
１６        反射ユニット
１６２        固定部品
１６３ａ      凸柱
１６４        反射部品
１８        テープ材
１９        光伝送空間
２０        光源モジュール
２０ａ      光源モジュール
２２        発光部品
２４        導光部品
２４２        導光部
２４４        入光部
２４８        出光部
２４８１        平面
２４８２        第一凹槽
２４８ａ      出光部
２４８１ａ      平面
２４８２ａ      第一凹槽
２４８６ａ      第二凹槽
２５０        底部
２５０２        納置槽
２６        反射ユニット
２６２        固定部品
２６２ａ      固定部品
２６３ａ      凸柱
２６４        反射部品
２８        テープ材
２９        光伝送空間
Ｉ        光軸
θ１        開口角
θ２        開口角
【図１】
0003172647.tif 000003
【図２】
0003172647.tif 000004
【図３】
0003172647.tif 000005
【図４】
0003172647.tif 000006
【図５】
0003172647.tif 000007
【図６】
0003172647.tif 000008
【図７】
0003172647.tif 000009
【図８】
0003172647.tif 000010